(57)【要約】【課題】足場材間の連結作業が容易であるとともに、足場材を連結した状態で連結具付近に曲げ方向の荷重が掛かった際のたわみが少ない連結具の提供する。【解決手段】互いに延長方向に隣り合う棒状の足場材２，２を、それぞれの端面を互いに突き合わせ配置にして連結する金具であって、前記両足場材２，２の突合せ端部が収容され略筒状をした抱持部３と、該抱持部３の両端に備えられ、前記両足場材２，２の外周を締め付けて挟持する一対の締付金具部４，４とを有する連結金具において、前記抱持部３は、樋状をした受け部材５と、該受け部材５の樋状の開放部を覆う配置の覆い部材６とを有し、前記受け部材５と覆い部材６とをそれぞれの一方側縁部間を互いに枢着させることにより前記覆い部材６によって前記受け部材５の樋状の開放部を開閉自在となしたこと特徴とする棒状足場材の突合せ部連結金具。【選択図】図１
2007321340.tif 000002
【特許請求の範囲】
【請求項１】
外周面が円筒状又は角筒状をした互いに延長方向に隣り合う棒状の足場材を、それぞれの端面を互いに突き合わせ配置にして連結する金具であって、
前記両足場材の突合せ端部が収容される略筒状をした抱持部と、該抱持部の両端に備えられ、前記両足場材の外周を締め付けて挟持する一対の締付金具部とを有する棒状足場材の突合せ部連結金具において、
前記抱持部は、樋状をした受け部材と、該受け部材の樋状の開放部を覆う配置の覆い部材とを有し、
前記受け部材と覆い部材とをそれぞれの一方側縁部間を互いに枢着させることにより前記覆い部材によって前記受け部材の樋状の開放部を開閉自在となし、
前記受け部材と覆い部材との両端部に、前記枢着部の反対側の縁部間を互いに接近させる側に締め付ける締付金具部を備えたことを特徴としてなる棒状足場材の突合せ部連結金具。
【請求項２】
断面が略方形の角筒状をした角筒型棒状足場材を、その端部を互いに突き合わせ配置にして連結する金具であって、
前記抱持部を構成する樋状の受け部材は、矩形状の底板部と、該底板部の一方側縁部に略直角に立ち上がらせた仮受け用側片部と、前記底板部の他方側縁部に略直角に立ち上がらせた足場材側面受け用側片部とを一体に有する断面が略コ状の角樋状に成型するとともに、
前記覆い部材を、前記受け部材の底板部に対向させる天板部と、該天板部の一方側縁部より略直角に折り曲げ成型した形状の足場材側面押え片部とをもって構成させ、
前記天板部の前記足場材側面押え片部とは反対側の縁部を前記受け部材の足場材側面受け用側片部の背面側に枢軸を位置させて枢着させ、
前記受け部材の仮受け用側片部と足場材側面受け用側片部の間隔を、前記角筒型棒状足場材の正方形断面の１辺の長さより大きくし、
前記天板部が前記底板部と平行な位置に回動された状態で前記天板部と前記底板部との間隔が前記角筒型棒状足場材の正方形断面の１辺の長さと略同じ長さとなるとともに、前記足場材側面受け用側片部と前記足場材側面押え片部との間隔が前記角筒型棒状足場材の正方形断面の１辺の長さと略同じ長さとなるようにしてなる請求項１に記載の棒状足場材の突合せ部連結金具。
【請求項３】
前記締付金具部は、略矩形状をした底片とその一端から立ちあがる側片と、該側片の上部に回動自在に取り付けられた回動片と、前記底片の前記側片が立ちあがる側とは反対側の端部に枢着されたボルトとを有し、
前記回動片の、前記側片に枢着されている側とは反対側の端部に、前記ボルトの先端をナットを介して係止するボルト先端係止部を備え、
前記回動片は前記覆い部材に、前記側片及び前期底片は前記受け部材にそれぞれ固着され、
前記側片と前記回動片の枢軸を前記覆い部材と前記受け部材の枢軸としている請求項１又は２に記載の棒状足場材の突合せ部連結金具。
【請求項４】
前記抱持部の中央付近に、該抱持部の内外に貫通開口させた足場材端部目視用孔を設けてなる請求項１，２又は３に記載の棒状足場材の突合せ部連結金具。
【請求項５】
前記抱持部の長さ方向中央付近内側に、該抱持部に挿入する前記足場材の先端が当接される仕切り板を設けてなる請求項１，２，３又は４に記載の棒状足場材の突合せ部連結金具。
【発明の詳細な説明】
【技術分野】
【０００１】
本発明は、円筒形又は角筒形の足場用パイプ等の棒状足場材を互いに延長方向に連結する際に、棒状足場材の端部同士を突き合わせ配置にして連結する棒状足場材の突合せ部連結金具に関する。
【背景技術】
【０００２】
従来、建設現場等で用いられる足場用のパイプを長手方向に連結する棒状足場材の突合せ部連結金具としては、連結する足場用パイプの外径よりもやや大きな内径を持つ円筒状の連結具本体と、セットボルトを備えるパイプ固定部とを有するパイプ連結具がある（特許文献１）。この連結金具は、図５に示すように、円筒状の連結具本体５１に連結する両足場材５２，５２の突合せ端部が両端から挿入されるものであり、連結具本体５１の中央部から長さ方向に所定距離だけ離れたところに、連結具本体５１の表面から内部に貫通するボルト挿通孔が形成され、連結具本体５１の表面のボルト挿通孔の外側開口部外に、ボルト挿入孔と中心軸が重なるようにしてナット５４が溶着されており、ロックナット５５に螺合されたセットボルト５３をナット５４に螺合させてボルト挿通孔に通し、連結具本体５１内部に挿入されたパイプ５２，５２をセットボルト５３，５３によって径方向に締め付けて固定するものである。
【０００３】
また、他の棒状足場材の突合せ部連結金具としては、図６に示すように、円筒状の連結具本体６１と、その連結具本体６１の長手方向両端に備えられ、周方向に開閉するパイプ固定部６２，６２とを有するパイプ連結具６０がある（特許文献２）。このパイプ連結具６０は、円筒状の連結具本体６１の両端を略半円筒状の部分を残して他の部分を取り除いて形成した支持部６３と、その略半円筒状の支持部６３の周方向一端に、周方向に回動自在に取り付けられた挟着片６４と、支持部６３の周方向他端に、連結具本体６１の周方向に回動自在に取り付けた締め付けボルト６５とを有するパイプ固定部６２を備え、連結具本体６１にパイプを挿入する際に狭着片６４を開いておき、パイプを挿入したあとで狭着片６４を閉じるとともに、締め付けボルト６５を狭着片６４に係止してパイプを固定するものである。
【特許文献１】特開平６−３３７０１０
【特許文献２】特公平６−５６１７０
【発明の開示】
【発明が解決しようとする課題】
【０００４】
しかし、これらのパイプ連結具は、筒状の連結具本体の両端より足場用のパイプの先端を挿入するものであるため、連結するパイプの差し込み作業を容易にする必要から、連結具本体の内径が連結するパイプの外径より大きめに形成されている。そのため、パイプを連結した後にパイプ連結具付近に曲げ方向の荷重がかかると、連結位置に大きなたわみが発生するという問題があった。また、連結具本体の内径を連結するパイプの外径に近づける程、パイプを連結具本体に差し込む作業が困難になるという問題があった。
【０００５】
本発明はこのような従来の問題に鑑み、連結作業が容易であるとともに、パイプを連結した状態でパイプ連結具付近に曲げ方向の荷重が掛かった際のたわみが少ない棒状足場材の突合せ部連結金具の提供を目的としてなされたものである。
【課題を解決するための手段】
【０００６】
上述の如き従来の問題を解決し、所期の目的を達成するための請求項１に記載の発明の特徴は、外周面が円筒状又は角筒状をした互いに延長方向に隣り合う棒状の足場材を、それぞれの端面を互いに突き合わせ配置にして連結する金具であって、前記両足場材の突合せ端部が収容される略筒状をした抱持部と、該抱持部の両端に備えられ、前記両足場材の外周を締め付けて挟持する一対の締付金具部とを有する棒状足場材の突合せ部連結金具において、前記抱持部は、樋状をした受け部材と、該受け部材の樋状の開放部を覆う配置の覆い部材とを有し、前記受け部材と覆い部材とをそれぞれの一方側縁部間を互いに枢着させることにより前記覆い部材によって前記受け部材の樋状の開放部を開閉自在となし、前記受け部材と覆い部材との両端部に、前記枢着部の反対側の縁部間を互いに接近させる側に締め付ける締付金具部を備えたことにある。
【０００７】
また、請求項２に記載の発明の特徴は、前記請求項１の構成に加え、断面が略方形の角筒状をした角筒型棒状足場材を、その端部を互いに突き合わせ配置にして連結する金具であって、前記抱持部を構成する樋状の受け部材は、矩形状の底板部と、該底板部の一方側縁部に略直角に立ち上がらせた仮受け用側片部と、前記底板部の他方側縁部に略直角に立ち上がらせた足場材側面受け用側片部とを一体に有する断面が略コ状の角樋状に成型するとともに、前記覆い部材を、前記受け部材の底板部に対向させる天板部と、該天板部の一方側縁部より略直角に折り曲げ成型した形状の足場材側面押え片部とをもって構成させ、前記天板部の前記足場材側面押え片部とは反対側の縁部を前記受け部材の足場材側面受け用側片部の背面側に枢軸を位置させて枢着させ、前記受け部材の仮受け用側片部と足場材側面受け用側片部の間隔を、前記角筒型棒状足場材の正方形断面の１辺の長さより大きくし、前記天板部が前記底板部と平行な位置に回動された状態で前記天板部と前記底板部との間隔が前記角筒型棒状足場材の正方形断面の１辺の長さと略同じ長さとなるとともに、前記足場材側面受け用側片部と前記足場材側面押え片部との間隔が前記角筒型棒状足場材の正方形断面の１辺の長さと略同じ長さとなるようにしたことにある。
【０００８】
また、請求項３に記載の発明の特徴は、前記請求項１又は２の構成に加え、前記締付金具部は、略矩形状をした底片とその一端から立ちあがる側片と、該側片の上部に回動自在に取り付けられた回動片と、前記底片の前記側片が立ちあがる側とは反対側の端部に枢着されたボルトとを有し、前記回動片の、前記側片に枢着されている側とは反対側の端部に、前記ボルトの先端をナットを介して係止するボルト先端係止部を備え、前記回動片は前記覆い部材に、前記側片及び前期底片は前記受け部材にそれぞれ固着され、前記側片と前記回動片の枢軸を前記覆い部材と前記受け部材の枢軸としていることにある。
【０００９】
また、請求項４に記載の発明の特徴は、前記請求項１，２又は３の構成に加え、前記抱持部の中央付近に、該抱持部の内外に貫通開口させた足場材端部目視用孔を設けてなることにある。
【００１０】
また、請求項５に記載の発明の特徴は、前記請求項１，２，３又は４の構成に加え、前記抱持部の長さ方向中央付近内側に、該抱持部に挿入する前記足場材の先端が当接される仕切り板を設けてなることにある。
【発明の効果】
【００１１】
本発明に係る棒状足場材の突合せ部連結金具においては、外周面が円筒状又は角筒状をした互いに延長方向に隣り合う棒状の足場材を、それぞれの端面を互いに突き合わせ配置にして連結する金具であって、前記両足場材の突合せ端部が収容され略筒状をした抱持部と、該抱持部の両端に備えられ、前記両足場材の外周を締め付けて挟持する一対の締付金具部とを有する棒状足場材の突合せ部連結金具において、前記抱持部は、樋状をした受け部材と、該受け部材の樋状の開放部を覆う配置の覆い部材とを有し、前記受け部材と覆い部材とをそれぞれの一方側縁部間を互いに枢着させることにより前記覆い部材によって前記受け部材の樋状の開放部を開閉自在となし、前記受け部材と覆い部材との両端部に、前記枢着部の反対側の縁部間を互いに接近させる側に締め付ける締付金具部を備えたことにより、連結金具を開閉して足場材に取り付けることができるので、連結金具の内周の大きさを足場材の外周の大きさに近づけても、容易に足場材間の連結作業を行うことができるとともに、足場材間を連結した状態で連結具付近に曲げ方向の荷重が掛かった際のたわみを少なくすることができる。
【００１２】
また、断面が略方形の角筒状をした角筒型棒状足場材を、その端部を互いに突き合わせ配置にして連結する金具であって、前記抱持部を構成する樋状の受け部材は、矩形状の底板部と、該底板部の一方側縁部に略直角に立ち上がらせた仮受け用側片部と、前記底板部の他方側縁部に略直角に立ち上がらせた足場材側面受け用側片部とを一体に有する断面が略コ状の角樋状に成型するとともに、前記覆い部材を、前記受け部材の底板部に対向させる天板部と、該天板部の一方側縁部より略直角に折り曲げ成型した形状の足場材側面押え片部とをもって構成させ、前記天板部の前記足場材側面押え片部とは反対側の縁部を前記受け部材の足場材側面受け用側片部の背面側に枢軸を位置させて枢着させ、前記受け片部の仮受け用側片部と足場材側面受け用側片部の間隔を、前記角筒型棒状足場材の正方形断面の１辺の長さより大きくしていることにより、互いに連結しようとする角筒型棒状足場材同士がねじれ配置となっている場合や、中心軸にずれが生じている場合にも連結金具内への挿入が容易になる。
【００１３】
また、前記天板部が前記底板部と平行な位置に回動された状態で前記天板部と前記底板部との間隔が前記角筒型棒状足場材の正方形断面の１辺の長さと略同じ長さとなるとともに、前記足場材側面受け用側片部と前記足場材側面押え片部との間隔が前記角筒型棒状足場材の正方形断面の１辺の長さと略同じ長さとなるようにしたことにより、角筒型棒状足場材を受け部材に挿入後、締付金具部によって覆い部材を受け部材側に締め付けることにより、中心軸のずれやねじれを矯正しつつ強固に固定されることとなり、しかも、角筒型棒状足場材の全周面に受け部材内面及び覆い部材内面を密着させることが可能となり、強固で遊びのない結合がなされ、連結金具付近に曲げ方向の荷重が掛かった際のたわみを少なくすることができる。
【００１４】
また、前記締付金具部は、略矩形状をした底片とその一端から立ちあがる側片と、該側片の上部に回動自在に取り付けられた回動片と、前記底片の前記側片が立ちあがる側とは反対側の端部に枢着されたボルトとを有し、前記回動片の、前記側片に枢着されている側とは反対側の端部に、前記ボルトの先端をナットを介して係止するボルト先端係止部を備え、前記回動片は前記覆い部材に、前記側片及び前期底片は前記受け部材にそれぞれ固着され、前記側片と前記回動片の枢軸を前記覆い部材と前記受け部材の枢軸としていることにより、前記締付金具部に市販されている締付金具を使用でき、前記受け部材と覆い部材に前記市販されている締付金具をそれぞれ溶接することによって、連結金具を組み立てることができるので、連結金具の製造が容易となる。
【００１５】
また、前記抱持部の長手方向中央付近に足場材端部目視用孔を設けることにより、足場材の連結する端部が連結金具の長手方向中央付近に位置しているかを目視にて確認することができるので、足場材の連結する端部を連結金具の長手方向中央付近に好適に位置させることができ、連結する足場材の端部が抱持部の端に位置する場合と比べて、足場材を連結金具から抜け難くすることができる。
【００１６】
また、前記抱持部の長手方向中央付近内側に、該抱持部に挿入された前記足場材の先端が当接される仕切り板を設けることにより、足場材を連結する際に、足場材を仕切り板に突き当たるまで挿入して、足場材の連結端部を所定の位置に位置させることができ、足場材を連結金具から抜け難くすることができる。
【発明を実施するための最良の形態】
【００１７】
次に本発明に係る棒状足場材の突合せ部連結金具（以下、連結金具と記す）の実施の一例を図１〜４に基づいて説明する。
【００１８】
図１は、連結金具１を使用して、互いに延長方向に隣り合う角筒型棒状足場材２，２を、それぞれの端面を互いに突き合わせ配置にして連結した状態を示している。この角筒型棒状足場材２，２（以下、足場材と記す）は、正方形の断面を有する角パイプであり、連結金具１もこの角パイプに対応した形状のものとなっている。
【００１９】
この連結金具１は、連結する両足場材２，２の突合せ端部が収まる略筒状をした抱持部３と、この抱持部３の両端に備えられ、連結する両足場材２，２の外周を締め付けて挟持する一対の締付金具部４，４とを有する。この略筒状をした抱持部３は、足場材２，２を抱持する方向と開放する方向とに開閉できるようになっており、抱持部３を閉じて足場材を連結したとき、抱持部３の内周壁によって足場材２，２の外周壁を抑え込むように形成されている。
【００２０】
このように形成されている抱持部３は、樋状をした受け部材５と、この受け部材の樋状の開放部を覆う配置の覆い部材６とを有し、受け部材５と覆い部材６とをそれぞれの一方側縁部間を互いに枢着させることにより、覆い部材６によって受け部材５の樋状の開放部を開閉自在にしている。
【００２１】
この樋状の受け部材５は、図２及び図３に示すように、矩形状の底板部１０と、この底板部１０の一方側縁部に略直角に立ち上がらせた仮受け用側片部１１と、底板部１０の他方側縁部に略直角に立ち上がらせた足場材側面受け用側片部１２とを一体に有する断面が略コの字型の角樋状に成型されている。
【００２２】
また、この受け部材５の樋状の開放部を覆う覆い部材６は、受け部材５の底板部１０に対向させる天板部１３と、この天板部１３の一方側縁部より略直角に折り曲げ成型した形状の足場材側面押え片部１４とをもって構成されている。
【００２３】
そして、天板部１３の足場材側面押え片部１４とは反対側の縁部を、受け部材５の足場材側面受け用側片部１２の背面側位置で枢着することによって、受け部材５と覆い部材６を開閉回動自在となしている。
【００２４】
また、受け部材５の仮受け用側片部１１と足場材側面受け用側片部１２の間隔は、足場材の正方形断面の１辺の長さより大きくしている。一方、天板部１３が底板部１０と平行な位置に回動された状態で、天板部１３と底板部１０との間隔が足場材の正方形断面の１辺の長さと略同じ長さとなるとともに、足場材側面受け用側片部１２と足場材側面押え片部１４との間隔が足場材の正方形断面の１辺の長さと略同じ長さとなるようにしている。従って、足場材を締め付ける際には、天板部１３、底板部１０、足場材側面受け用側片部１２及び足場材側面押え片部１４の４つの部分でそれぞれ、足場材の４つの側面を抱持する。
【００２５】
また、足場材側面押え片部１４の幅方向の長さは、覆い部材６を締付方向に回動させた際に、受け部材の仮受け用側片部１１に接触しない程度の長さとなっている。
【００２６】
このように構成された受け部材５及び覆い部材６の両端部に、互いに枢着させた側とは反対側の縁部間を互いに接近させる側に締め付ける締付金具部４，４を備えている。
【００２７】
この締付金具部４，４は、図３に示すように、略矩形状の底片２１と、この底片の長さ方向の一方側端部に立ち上がる側片２２と、この側片２２の上部に枢軸２７を中心にして回動可能に取り付けられた回動片２３とを備えている。そして、足場材を連結する際には、この回動片２３を閉じ方向に回動させるとともに、図２に示すように、底辺２１に枢着されたボルト２４を、回動片２３の先端に備えられたボルト先端係止部２５に、ナット２６を使用して係止することによって足場材を固定する。
【００２８】
この締付金具部４，４は、底片２１が受け部材５の底板部１０と、側片２２が受け部材５の足場材側面受け用側片部１２と、回動片２３が覆い部材６とそれぞれ固着されて抱持部３と一体化されている。
【００２９】
これらの締付金具部４，４を構成している底片２１、側片２２、回動片２３は、図３に示すように、それぞれ略矩形状の底部３１とその左右に立ち上がる右補強リブ３２、左補強リブ３３を有し、断面略コの字型に形成されている。そして、この右補強リブ３２及び左補強リブ３３の足場材２，２と当接する側の端部には凹凸が形成され、足場材を締め付けた際に足場材に食い込み、滑り止めの役割を果たしている。
【００３０】
また、底片２１の長手方向一方側端部には、一対の軸受け片が左右の補強リブと一体に立ち上がっている。そして、ボルト基端部２４ａをこの一対の軸受け片の間に挿入し、一対の軸受け片及びボルト基端部２４ａを貫通させて枢軸２８を設けることにより、ボルト２４を枢着している。
【００３１】
一方、回動片２３の一方側端部には、左右の補強リブの内側に、側片２２の左右の補強リブが接している。そして、この回動片２３の補強リブ及び側片の補強リブを貫通するように枢軸２７が設けられ、回動片２３が側片２２に対して回動可能となっている。この枢軸２７が、受け部材５と覆い部材６の枢軸となっている。
【００３２】
また、この回動片２３の他方側端部に設けられたボルト先端係止部２５は、ボルト２４をナット２６を使用して係止した際に、ナット２６のボルト先端係止部２５に係止される面とは反対側の面が、天板部１３より突出しない位置に形成されている。そして、図４に示すとおり、このボルト先端係止部２５には、長手方向先端から奥に向かって切欠き状に形成されたボルト係合凹部２５ａが備えられている。このボルト係合凹部２５ａに、ボルトを奥まで嵌め込み、ナット２６にて係合することによって、ボルトをボルト先端係止部に係止する。
【００３３】
尚、ナット２６は、スリーブナット部２６ａとその先端に一体化された鍔付き六角ナット部２６ｂとから構成され、ボルトをボルト先端係止部２５に係止する際には、鍔付きナット部２６ｂの鍔の部分がボルト先端係止部２５に係止されるとともに、スリーブナット部２６ａがボルト係合凹部２５ａに嵌るようになっている。また、ナット２６としては、普通のナットあるいは、鍔付きのナットを使用してもよい。
【００３４】
また、抱持部３の長手方向中央付近には、抱持部の内外に貫通開口させた足場材端部目視用孔４０，４０が設けてある。この足場材端部目視用孔４０，４０をとおして、連結する足場材の端部が、連結金具の中央付近に位置しているかを目視にて確認できるようになっている。尚、この足場材端部目視用孔は、連結金具の側面であればどの面に設けてもよく、その数は１つでも複数個でもよい。
【００３５】
また、足場材を所定の位置に位置させるために、抱持部３の内側中央付近に、抱持部に挿入される足場材の先端が当接される仕切り板を設けてもよい。この場合は、足場材端部目視用孔を設けなくてもよい。
【００３６】
尚、本実施例においては、足場材として外周面が角筒状のものを使用しているが、円筒状のものを使用してもよい。この場合、連結金具の内周面も円筒状となる。また、足場材として、断面が正方形以外の多角形のものを使用してもよい。この場合、連結金具の内周も多角形状になる。また、足場材として、筒状ではなく棒のように芯のあるものを使用してもよい。
【００３７】
また、本実施例では、受け部材５と覆い部材６に締付金具部４，４を溶接しているが、受け部材と覆い部材にボルトとボルト先端係止部を設けることによって締付金具部を構成してもよい。
【００３８】
また、連結金具の材質としては、金属以外に強化プラスチックでもよい。
【図面の簡単な説明】
【００３９】
【図１】本発明に係る棒状足場材の突合せ部連結金具の一例を示す正面図である。
【図２】同上の断面図である。
【図３】同上の斜視図である。
【図４】同上の平面図である。
【図５】従来のパイプ連結具の一例を示す斜視図である。
【図６】従来のパイプ連結具の他の例を示す斜視図である。
【符号の説明】
【００４０】
１  連結金具
２  角筒型棒状足場材（足場材）
３  抱持部
４  締付金具部
５  受け部材
６  覆い部材
１０  底板部
１１  仮受け用側片部
１２  足場材側面受け用側片部
１３  天板部
１４  足場材側面押え片部
２１  底片
２２  側片
２３  回動片
２４  ボルト
２４ａ  ボルト基端部
２５  ボルト先端係止部
２５ａ  ボルト係合凹部
２６  ナット
２６ａ  スリーブナット部
２６ｂ  鍔付きナット部
２７，２８  枢軸
３１  底部
３２  右補強リブ
３３  左補強リブ
４０  足場材端部目視用孔
【図１】
2007321340.tif 000003
【図２】
2007321340.tif 000004
【図３】
2007321340.tif 000005
【図４】
2007321340.tif 000006
【図５】
2007321340.tif 000007
【図６】
2007321340.tif 000008